(57)【要約】      （修正有）【課題】２線式ケーブルの電流を容易に測定できるクランプ式電流計を提供する。【解決手段】クランプ式電流計１０は、磁気コア１２と、電流検出回路１４と、を有している。電流検出回路１４は、磁気コア１２に巻回されたコイル１６と、ダイオード１８と、電流検出部２０とを備え、これらがこの順で直列に接続された構成である。【選択図】図１
0003229437.tif 000002
【実用新案登録請求の範囲】
【請求項１】
磁気コアと、
電流検出回路と、を有し、
前記電流検出回路は、前記磁気コアに巻回されたコイルと、ダイオードと、電流検出部とを備え、これらがこの順で直列に接続された構成であるクランプ式電流計。
【考案の詳細な説明】
【技術分野】
【０００１】
本考案は、変流器方式のクランプ式電流計に関する。
【背景技術】
【０００２】
変流器方式のクランプ式電流計は、環状の磁気コアにケーブルを挿通させるだけでケーブルに流れる電流の量に対応した磁束を検知し、電流を測定することができる。一方、ケーブルが２線式の場合、２本の電線に大きさが等しく逆向きの電流が流れる態様で使用されることが多い。この場合、２線式ケーブルを磁気コアに挿通させて測定される電流は各電線に流れる電流の合計値、すなわち０であるので電流を測定することができない。なお、ケーブルの被覆から電線を露出させ、１本の電線だけを磁気コアに挿通させれば電線毎の電流を測定することが可能であるが、作業が煩雑である。
【０００３】
これに対し、２線式ケーブルと、電線が分離された構成のラインスプリッタとをコネクタを介して接続し、ラインスプリッタの１本の電線を磁気コアに挿通させて電流を測定する手法が知られている。また、ラインスプリッタが一体に設けられたクランプ式電流計も知られている（特許文献１参照）。ラインスプリッタが一体に設けられたクランプ式電流計には、ラインスプリッタの回路に接続するためのコネクタが備えられている。しかしながら、ケーブルのコネクタは多様であり、多様なコネクタのケーブルに対応するためには、それだけ多様なラインスプリッタ、あるいはラインスプリッタが一体に設けられたクランプ式電流計を用意する必要がある。また、ケーブルのコネクタから離れた位置で電流を測定したい場合がある。また、コネクタを介さずに他の機器等と接続されているケーブルもある。したがって、ラインスプリッタを用いる手法は汎用性という点で問題がある。
【０００４】
また、ケーブルが磁気センサに対して所定の位置関係になるようにケーブルを支持し、磁気センサ及びケーブル内の各電線の位置関係と、磁気センサが検出する磁束に基づいて、ケーブル内の各電線の電流を測定する手法が知られている（特許文献２、３参照）。しかしながら、この手法はケーブル内における電線の位置を予め把握しておく必要がある。また、ケーブルを正確に位置決めして支持する作業が必要である。したがって、この手法も利便性という点で問題がある。
【先行技術文献】
【特許文献】
【０００５】
【特許文献１】特開平０８−０４３４３９号公報
【特許文献２】特開平０７−０５５８４５号公報
【特許文献３】特開２０１２−０９８２０５号公報
【考案の概要】
【考案が解決しようとする課題】
【０００６】
本考案の課題は、２線式ケーブルの電流を容易に測定できるクランプ式電流計を提供することである。
【課題を解決するための手段】
【０００７】
本考案は、磁気コアと、電流検出回路と、を有し、電流検出回路は、磁気コアに巻回されたコイルと、ダイオードと、電流検出部とを備え、これらがこの順で直列に接続された構成であるクランプ式電流計により上記課題を解決するものである。
【考案の効果】
【０００８】
本考案のクランプ式電流計は、２線式ケーブルの電流を容易に測定できる。また、本考案のクランプ式電流計は、単線式ケーブルの電流を測定することもできる。
【図面の簡単な説明】
【０００９】
【図１】図１は本考案の実施形態のクランプ式電流計の構成を模式的に示す図である。
【図２】図２は図１のコイル周辺部分を拡大して示す図である。
【考案を実施するための形態】
【００１０】
図１は本考案の実施形態に係るクランプ式電流計１０の構成を模式的に示す図である。クランプ式電流計１０は、磁気コア１２と、電流検出回路１４と、を有している。電流検出回路１４は、磁気コア１２に巻回されたコイル１６と、ダイオード１８と、電流検出部２０とを備え、これらがこの順で直列に接続された構成である。
【００１１】
磁気コア１２は、第１コア部材１２Ａ及び第２コア部材１２Ｂを有し、これらの部材が一体で略環状体をなしている。第１コア部材１２Ａは基端を中心に回動自在であるように基端において第２コア部材１２Ｂと連結されている。これにより第１コア部材１２Ａ及び第２コア部材１２Ｂの先端が開閉自在でとなっている。なお、磁気コア１２は例えばＵ字形状等の開口した単一の部材からなる構成であってもよい。
【００１２】
ダイオード１８は、電流検出部２０からコイル１６に向かう方向が順方向であるように設置されている。電流検出回路１４は、電流検出部２０とコイル１６とで区切られる２つの区域のうちダイオード１８が設置されていない側の区域において分岐するアース線２２と、アース線２２の先端（分岐と反対側）に向かう方向が順方向であるようにアース線２２の途中に設置されたアース用ダイオード２４と、を更に備えている。また、電流検出回路１４は、コイル１６と並列に接続されたコンデンサ２６を更に備えている。
【００１３】
測定対象である２線式ケーブル２８は、往線２８Ａ及び復線２８Ｂを有して構成されている。２線式ケーブル２８の一端には交流電源３０が接続され、他端には負荷３２が接続されている。
【００１４】
次に、クランプ式電流計１０の作用について説明する。まず磁気コア１２を構成する第１コア部材１２Ａ及び第２コア部材１２Ｂを開いて、測定対象である２線式ケーブル２８を第１コア部材１２Ａ及び第２コア部材１２Ｂの間に挿通させてから、第１コア部材１２Ａ及び第２コア部材１２Ｂを閉じる。図１に示されるように、２線式ケーブル２８の往線２８Ａには電流ＩＡが流れており、復線２８ＢにはＩＡとは逆向きの電流ＩＢが流れている。磁気コア１２には、往線２８Ａの電流ＩＡに対応する磁束ＭＡと、復線２８Ｂの電流ＩＢに対応する磁束ＭＢが生ずる。磁束ＭＢは磁束ＭＡと逆向きである。なお、往線２８Ａ及び復線２８Ｂに流れる電流は交流であるので、実際には電流ＩＡ、ＩＢ、磁束ＭＡ、ＭＢの向きは周期的に変動する。図１は所定の時点における電流ＩＡ、ＩＢ、磁束ＭＡ、ＭＢの向きを模式的に示している。
【００１５】
図２は図１のコイル周辺部分を拡大して示す図である。磁気コア１２に磁束ＭＡと磁束ＭＢが生ずることにより、コイル１６には電流Ｉａ、Ｉｂを流そうとする起電力が生ずる。電流Ｉａ、Ｉｂは相互に逆向きであるので両方の電流が流れた場合、トータルの電流値は０である。一方、電流検出回路１４はダイオード１８を備えているので、一方の電流は阻害され、他方の電流のみが流れる。図２では模式的に電流Ｉａが流れ、電流Ｉｂがダイオード１８によって阻害される状態を示している。したがって、電流検出回路１４のトータルの電流値は０にはならず、電流検出部２０は電流Ｉａの電流値を測定することができる。なお、電流Ｉａは半波であるが、電流検出回路１４はコンデンサ２６を備えているので、電流検出部２０は整流された電流Ｉａの電流値を測定することができる。
【００１６】
以上、説明したように、本考案によれば、部品点数が少ない簡単な構成でありながら、２線式ケーブルの電流を容易に測定できるクランプ式電流計を実現できる。なお、実施形態では２線式ケーブルの電流を測定する例が示されているが、単線式ケーブルの電流を測定することも当然可能である。
【産業上の利用可能性】
【００１７】
本考案は、変流器方式のクランプ式電流計に利用できる。
【符号の説明】
【００１８】
１０    クランプ式電流計
１２    磁気コア
１２Ａ  第１コア部材
１２Ｂ  第２コア部材
１４    電流検出回路
１６    コイル
１８    ダイオード
２０    電流検出部
２２    アース線
２４    アース用ダイオード
２６    コンデンサ
２８    ２線式ケーブル
２８Ａ  往線
２８Ｂ  復線
３０    交流電源
３２    負荷
【図１】
0003229437.tif 000003
【図２】
0003229437.tif 000004